(57)【要約】【課題】  それぞれ独立して存在する授業ページをＷｅｂ画面操作によりまとめることで、複数授業の履修者の統合を実現し、使い勝手の向上と利便性を与える。【解決手段】  Ｗｅｂ操作画面上で第１の情報（授業ページ）の配下に統合すべき第２の情報（授業ページ）の選択操作を取り込み、検索して得られる第１の情報と第２の情報とを関係付ける。このことにより、第２の情報を第１の情報のＷｅｂページと同様に扱うことを許可し、情報が異なるＷｅｂページへの編集、閲覧操作を仮想的に１授業ページのようにして扱う。【選択図】      図４
2006053861.tif 000002
【特許請求の範囲】
【請求項１】
Ｗｅｂ操作画面を備えるクライアントから所定の指示を受けて動作するサーバにおいて、処理装置が、記憶装置に保存された個別に存在する情報を用いてＷｅｂページの作成を支援するＷｅｂページ作成支援方法であって、
前記処理装置は、
前記Ｗｅｂ操作画面上で、第１の情報の配下に統合すべき第２の情報が指定されたとき、前記記憶装置から前記第２の情報を取り込む第１のステップと、
前記記憶装置に保存された第１の情報に前記取り込んだ第２の情報を追加登録して、Ｗｅｂページを生成する第２のステップと、
を含んで実行することを特徴とするＷｅｂページ作成支援方法。
【請求項２】
前記第２のステップは、
前記Ｗｅｂ操作画面上で、前記第２の情報を前記第１の情報に統合する指示があったとき、前記第１の情報および前記第２の情報を前記記憶装置において検索するサブステップと、
前記第２の情報を前記第１の情報に関連付けて情報群として統合するサブステップと、
を含むことを特徴とする請求項１に記載のＷｅｂページ作成支援方法。
【請求項３】
前記第２のステップは、
前記Ｗｅｂ操作画面上で、前記統合を解除する指示があったとき、前記統合された情報群から前記第２の情報を削除して、前記統合前の第２の情報を復元するサブステップ
を含むことを特徴とする請求項２に記載のＷｅｂページ作成支援方法。
【請求項４】
前記第２のステップは、
前記統合を行う際、前記第１の情報が持つ属性を前記第２の情報に反映させるサブステップ
を含むことを特徴とする請求項２に記載のＷｅｂページ作成支援方法。
【請求項５】
Ｗｅｂ操作画面を備えるクライアントから所定の指示を受けて動作するサーバにおいて、処理装置が、Ｗｅｂ画面操作により統合され、記憶装置に保存された個別に存在する第１の情報と第２の情報からなるＷｅｂページを閲覧に供するＷｅｂページ閲覧方法であって、
前記処理装置は、
前記Ｗｅｂ操作画面上で指定された前記第２の情報を前記記憶装置において検索するステップと、
前記検索により取得される第２の情報が前記第１の情報に統合されていたとき、前記第１の情報を検索して前記統合された第２の情報と共にＷｅｂページとして出力し、閲覧に供するステップと、
を含んで実行することを特徴とするＷｅｂページ閲覧方法。
【請求項６】
Ｗｅｂ操作画面を備えるクライアントから所定の指示を受けて動作するサーバにおいて、記憶装置に保存された個別に存在する情報を用いてＷｅｂページの作成を支援するＷｅｂページ作成支援装置であって、
前記Ｗｅｂ操作画面上で、第１の情報の配下に統合すべき第２の情報が指定されたときに、前記記憶装置から前記第２の情報を取り込む統合データ取り込み部と、
前記記憶装置に保存された第１の情報に前記第２の情報を追加登録して、Ｗｅｂページを生成する情報操作部と、
を具備することを特徴とするＷｅｂページ作成支援装置。
【請求項７】
Ｗｅｂ操作画面を備えるクライアントから所定の指示を受けて動作するサーバにおいて、Ｗｅｂ画面操作により統合され、記憶装置に保存された個別に存在する第１情報と第２の情報からなるＷｅｂページを閲覧に供するＷｅｂページ閲覧装置であって、
前記Ｗｅｂ操作画面上で指定された前記第２の情報を前記記憶装置において検索する情報操作部と、
前記検索により取得される第２の情報が前記第１の情報に統合されていたとき、前記第１の情報を検索して前記統合された第２の情報と共に出力し、閲覧に供する閲覧制御部と、
を具備することを特徴とするＷｅｂページ閲覧装置。
【請求項８】
請求項１ないし請求項４のいずれか一項に記載のＷｅｂページ作成支援方法をコンピュータに実行させることを特徴とするＷｅｂページ作成支援プログラム。
【請求項９】
請求項５に記載のＷｅｂページ閲覧方法をコンピュータに実行させることを特徴とするＷｅｂページ閲覧プログラム。
【発明の詳細な説明】
【技術分野】
【０００１】
本発明は、オンライン授業支援システムに用いて好適な、Ｗｅｂページ作成支援方法および閲覧方法、装置ならびにプログラムに関する。
【背景技術】
【０００２】
ＷＷＷ（World Wide Web）を始めとする通信網が世界的に普及し、その接続環境ならびにＷｅｂブラウザさえあれば誰もが検索により目的とする情報を即時に得ることができるようになった。
このような背景のもとで、講師が、Ｗｅｂを利用して学生に対して講義を行い、教材を提供し、更に質問を受付けることができる、インタラクティブなオンライン授業支援システムが実現されている（例えば、特許文献１参照）。
【０００３】
前記したオンライン授業支援システムによれば、講師が必要なときに授業に関するホームページを作成して、学生に対して情報を発信できる。また、学生は、作成されたホームページを授業の前後に閲覧することにより、予習や復習を行うことができる。更に、学生は、課題作成のために教材をダウンロードしたり、Ｗｅｂを使ってディスカッションしたりすることで、講師との間で良好なコミュニケーションを取ることができる。
【０００４】
ところで、前記したオンライン授業支援システムにおいて、使用するホームページをグルーピング登録し、学生用ＰＣ（Personal Computer）から登録されたホームページのみを授業ページとして閲覧可能とする情報システムが開示されている（例えば、特許文献２参照）。
【特許文献１】特開２００４−１２８１３号公報（段落０００５〜００１２、図１）
【特許文献２】特開２００１−６７２６２号公報（段落０００５〜０００９、図３）
【発明の開示】
【発明が解決しようとする課題】
【０００５】
前記した特許文献２に開示された技術によれば、氾濫する膨大な情報を選別する作業を軽減し、安全で有益な情報のみを提供できるようになり、授業において有効なインターネットの利用が可能になる。しかしながら、本手法は、表示するホームページを授業ごとにまとめて提供する手法であって、授業をまとめるための手法ではない。
【０００６】
通常、講義概要、講義内容、教材、レポートなど、授業に関する情報としてのレコード（以下、授業ページという）がｎ個存在する場合、当該ｎ個の授業ページはそれぞれ独立して存在し、このため、異なる授業ページへの編集や閲覧操作を１授業ページで扱うことは不可能である。従って、例えば、ある講師が２つの講義を担当しており、それぞれの講義に別の学生が履修登録しているのに対して、その２つの講義の共通運用部分をまとめて１つの講義にすることは不可能であり、システムとしての使い勝手が悪く、講師や学生に対する利便性に欠けていた。
【０００７】
そこで、本発明は、前記した事情に基づいてなされたものであり、それぞれ独立して存在する授業ページをＷｅｂ画面操作によってまとめることで、複数授業の履修者の統合を実現し、このことにより、使い勝手の向上をはかり、講師および学生に対し利便性を与えることができる手段を提供することを目的とする。
【課題を解決するための手段】
【０００８】
前記した課題を解決するために本発明は、情報が異なるそれぞれ独立した授業ページをＷｅｂ画面操作によってまとめるものである。このため、Ｗｅｂ操作画面上で第１の情報（授業ページ）の配下に統合すべき第２の情報（授業ページ）の選択操作を取り込み、検索して得られる第１の情報と第２の情報とを関係付ける。このことにより、第２の情報を第１の情報のＷｅｂページと同様に扱うことができ、仮想的に内容が異なる授業ページへの編集、閲覧操作を１授業ページで操作可能になる。
【発明の効果】
【０００９】
本発明によれば、実際の授業では複数の授業時間で分かれている場合でも、個別の情報として存在する授業ページをＷｅｂ画面操作により統合することで、１個のＷｅｂページを更新するだけで、例えば複数の授業時間で分かれている履修者へ同一内容を提示することができ、実際の授業より幅広い人数でのＷｅｂディスカッションなどを実現できる。このため、オンライン授業支援システムとしての使い勝手が向上し、講師、学生共に利便性を提供できる。
【発明を実施するための最良の形態】
【００１０】
以下、本発明を実施するための最良の形態について図面を参照して詳細に説明する。
【００１１】
≪システムの構成と概要≫
図１は、本発明の実施の形態に係るオンライン授業支援システムの接続形態を説明するために引用したシステム構成図である。
図１に示されるように、オンライン授業支援システムは、システムサーバ１０、複数のクライアント端末２０、３０、管理端末４０などから構成され、いずれもＩＰ（Internet Protocol）網５０を介して接続される。クライアント端末２０は、ホームページを作成、編集または閲覧する講師用に用いられる。クライアント端末３０は、作成、編集されたホームページを閲覧する学生用に用いられる。また、管理端末４０は、システムのメンテナンスを行う管理者用に用いられる。なお、ＩＰ網５０に接続される各端末の数は、図１に示した台数に限定されるものではない。
【００１２】
システムサーバ１０は、Ｗｅｂサーバ１１とＤＢ（Data Base）サーバ１２からなり、両者は相互に接続されている。ホームページを作成、編集する講師、ホームページを閲覧する学生、システムを管理する管理者は、クライアント端末２０、３０または管理端末４０から、ＩＰ網５０を介して、システムサーバ１０にアクセスすることによって、ホームページを作成し、編集し、閲覧し、または、メンテナンスを行うことが可能である。その場合、各機能についてアクセス権が設定されており、各機能に対応する画面にアクセスできる講師、学生、管理者などが予め登録されているものとする。
クライアント端末２０、３０、管理端末４０からシステムサーバ１０をアクセスしてホームページの編集や閲覧を行う場合、クライアント端末２０、３０、管理端末４０に標準実装されたＷｅｂブラウザから担当の授業ページを直接更新するリアルタイム編集を用いるため、専門知識を必要とすることなく、見やすいコンテンツを作成することができる。
【００１３】
図２は、本発明の実施の形態に係るＷｅｂページ作成支援装置および閲覧装置の内部構成を機能展開して示したブロック図である。Ｗｅｂページ作成支援装置および閲覧装置は、図１に示すＤＢサーバ１２に実装され、Ｗｅｂサーバインタフェース部１２１と、統合データ取り込み部１２２と、編集・閲覧制御部１２３と、情報操作部１２４と、属性データ管理部１２５と、授業テーブル１２６と、マッピングテーブル１２７と、履修テーブル１２８とを含んで構成される。前記した各部１２１〜１２５は、主としてＣＰＵ（Central Processing Unit）などの処理装置によって実現され、各テーブル１２６〜１２８は、ハードディスク装置などの記憶装置に格納されたデータによって実現される。
【００１４】
Ｗｅｂサーバインタフェース部１２１は、Ｗｅｂサーバ１１との接続インタフェースを司る。統合データ取り込み部１２２は、Ｗｅｂ操作画面を介して選択操作される情報（第１の情報と、第１の情報の下に統合すべき第２の情報）を取り込み、編集・閲覧制御部１２３へ供給する。編集・閲覧制御部１２３は、先に選択された第２の情報を統合先における第１の情報のＷｅｂページとして編集を許可し、また、検索により取得された第２の情報が第１の情報に統合されていた場合、第１の情報を検索して統合された第２の情報と共にＷｅｂページとして出力し、閲覧に供する機能を持つ。
【００１５】
情報操作部１２４は、編集・閲覧制御部１２３から統合に関する指示があったとき、指定された第１の情報と第２の情報を授業テーブル１２６の検索によって取り込み、第２の情報を第１の情報に関連付けて情報群として統合するマッピングテーブル１２７を作成する機能を持つ。また、編集・閲覧制御部１２３から統合を解除する指示があったとき、統合された情報群から第２の情報を削除し、統合前の第２の情報を復元する機能も併せ持つ。属性データ管理部１２５は、情報操作部１２４が統合を行う際、第１の情報が持つアクセス権などの属性を第２の情報に反映させるために、授業テーブル１２６をマッピングテーブル１２７にリンクさせる機能を持つ。
【００１６】
≪テーブルの構成と概要≫
図３は、図２に示すマッピングテーブル、履修テーブル、授業テーブルにおけるデータ構造の一例を示す図であり、各テーブルが、図３（ａ）、図３（ｂ）、図３（ｃ）に示されている。
前記したように、マッピングテーブル１２７は、情報操作部１２４により作成され、図３（ａ）に示されるように、各エントリは、親となる統合先の授業情報を示すコードと、子となる統合元の授業情報を示すコードの対が記録される。また、履修テーブル１２８には、図３（ｂ）に示されるように、授業情報を示すコードごとに履修登録された学生が記録されている。更に、授業テーブル１２６には、図３（ｃ）に示されるように、授業情報を示すコードごとに、各機能に設定されるアクセス権、ページの背景や線について設定されるデザインなどの属性情報が記録されている。
【００１７】
≪システムの動作≫
図４〜図６は、本発明の実施の形態に係る動作を説明するために引用したフローチャートであり、編集側におけるＤＢサーバの動作（図４、図５）、閲覧側におけるＤＢサーバの動作（図６）のそれぞれが示されている。また、図４〜図６に示すフローチャートは、本発明の実施の形態に係るＷｅｂページ作成支援プログラム、Ｗｅｂページ閲覧プログラムの処理手順も併せて示している。
なお、図７〜図１２は、講義まとめを行う際に表示されるＷｅｂ画面構成の一例を示す図であり、講師担当一覧画面（図７）、講義まとめ設定画面（図８）、担当別講義名一覧画面（図９）、講義まとめ画面（図１０）、受講・編集者一覧画面（図１１、図１２）のそれぞれを示す。
【００１８】
図４〜図１２の説明に先立ち、講義のまとめの概念について、図１６（ａ）、（ｂ）を参照しながら説明する。図１６（ａ）は、講義まとめを行う前の講師と学生の関係を示している。ここでは、１人の講師が２つの講義を担当しており、講義ごとそれぞれ２人の学生が履修登録しているものとする。
Ｗｅｂページ作成支援装置により講義をまとめた結果、図１６（ｂ）に示されるように、まとめられた講義（講義Ｂ）の学生Ｃ、Ｄは、親授業の履修者として登録される。このとき、学生Ｃ、Ｄは、親授業となる講義Ａの講義情報を閲覧することができるようになる。ただし、まとめられた講義Ｂの授業情報の閲覧は不可になる。また、講師の講義編集に関しても、講義をまとめた後は、講義Ａの講義情報についてのみ編集が可能になる。ただし、講義をまとめる前に編集したレポート、テストなどの各種授業ページは、講義をまとめた後もデータとして残されるので、後記するように講義まとめを解除することにより復元することができる。
【００１９】
図４において、まず、講師は、クライアント端末２０のＷｅｂ操作画面を用いて、自身が担当している授業の一覧を表示する（ステップＳ４１）。図７に、その画面構成の一例が示されている。ここで、講師は、授業情報を示すコード（以下、コマコードという）をクリックすることにより、Ｗｅｂ操作画面を、図８に示す講義まとめ設定画面に遷移させることができる。
図８の講義まとめ設定画面中、ハッチング表記されている箇所が親授業として指定された講義であり、このとき、講師は、まとめたい講義の左にあるチェックボックスにチェックを入れ、追加指示を発行する。このことにより、システム（Ｗｅｂページ作成支援装置）によって講義まとめを行う編集処理が開始される。
【００２０】
すなわち、講師がクライアント端末２０のＷｅｂ操作画面を用いて、まとめる授業を複数選択したとき、Ｗｅｂサーバインタフェース部１２１経由で統合データ取り込み部１２２が、該当する親授業と子授業のコマコードを取り込み、編集・閲覧画面制御部１２３を起動する（ステップＳ４２）。
編集・閲覧制御部１２３は、まとめの追加指示により情報操作部１２４を起動する（ステップＳ４３の“まとめる”）。このことにより、情報操作部１２４は、授業テーブル１２６を参照し、統合データ取り込み部１２２によって取り込まれたコマコードに相当する授業情報を検索、取得する。そして、親となる統合先の授業に追加登録する（ステップＳ４４）。
【００２１】
具体的には、図５に示されるように、情報操作部１２４は、選択された授業の情報検索を行い（ステップＳ４４１）、マッピングテーブル１２７を作成し、親子関係にあるコマコードの対となるデータを記録する（ステップＳ４４２）。マッピングテーブル１２７のデータ構造は、図３（ａ）に一例が示されている。また、このとき、属性データ管理部１２５は、親となる授業が持つアクセス権やデザインなどの属性情報を子の関係にある授業に反映させるように、授業テーブル１２６の該当エントリに親属性を登録して属性を更新する（ステップＳ４４３）。
情報操作部１２４は、更に、選択された複数の授業の履修者（学生）を統合すべく履修テーブル１２８を更新する（ステップＳ４４４）。このことにより、実際の授業では複数の授業時間に分かれている場合でも、個別の情報として存在する授業ページをＷｅｂ画面操作により統合することで、１個のＷｅｂページを更新するだけで複数の授業時間に分かれている履修者へ同一内容を提示することができる。
【００２２】
図４に説明を戻す。ステップＳ４３の処理でまとめを解除する指示がなされた場合（ステップＳ４３の“まとめを解除”）、すなわち、図８に示すＷｅｂ操作画面を用い、講師がチェックを外したときに、情報操作部１２４は、マッピングテーブル１２７に記録され、まとめられた情報群からその授業情報（子）を削除し、まとめる前の授業情報を復元する（ステップＳ４５）。すなわち、子の関係にあった授業情報を親の関係にあった授業情報から解除した後、個別に扱われていたときの情報を属性も含めて復元し、再利用を可能とする。
【００２３】
図９に、講師がまとめた授業を参照したときの担当別講義名一覧が示されている。なお、閲覧側で参照する場合、検索の一覧に各授業の一覧からまとめられている授業をクリックすることにより、図１０に示す講義まとめ画面に遷移する。ここでは、まとめた先の授業のリンクが表示され、まとめられていない場合は、閲覧用の講義概要の内容が表示される。
【００２４】
図６に、閲覧処理がフローチャートで示されている。まず、閲覧側の講師または学生は、クライアント端末２０または３０のＷｅｂ操作画面を用いて授業を選択する（ステップＳ６１）。このことにより、システム（Ｗｅｂページ閲覧装置）は、情報操作部１２４により選択した授業を検索する（ステップＳ６２）。そして、編集・閲覧制御部１２３は、情報操作部１２４を介してマッピングテーブル１２７を参照し、該当の授業がまとめられているか否かをチェックする（ステップＳ６３）。
ここで、まとめられていることが確認された場合（ステップＳ６３の“まとめられている”）、マッピングテーブル１２７に記録されている親となる授業を検索し（ステップＳ６４）、編集・閲覧制御部１２３、Ｗｅｂサーバインタフェース部１２１経由で、要求のあったクライアント端末２０、３０に授業ページの表示を行うために該当Ｗｅｂページを出力する（ステップＳ６５）。なお、該当の授業がまとめられていなければ（ステップＳ６３の“まとめられていない”）、そのまま授業ページを表示するために該当Ｗｅｂページを出力する（ステップＳ６５）。
【００２５】
図１１、図１２は、受講・編集者一覧画面であり、これらの画面からわかるように、まとめられた講義に登録されていた履修者は、まとめた講義の履修者として扱われる。図１２中、破線枠内は、まとめられた講義の履修者である。ここでは、まとめが外されたときに表示されなくなり、元に戻る。
なお、図１１の画面の左側に、「講義概要」、「お知らせ」、「講義内容」、「教材」、「ディスカッション」、「レポート」、「関連リンク」、「テスト」、「アンケート」、「参考文献検索」、「受講・編集者一覧」、「更新履歴」、「担当情報」からなるメニューボタンが表示されているが、それぞれを含む１コマの授業に関する授業情報が前記した授業ページに相当する。
【００２６】
以下では参考のために、図１３にＷｅｂページを作成する際の講師による操作手順を、図１４にそのときのシステム（Ｗｅｂページ作成支援装置）の処理手順を、図１５に編集処理と編集結果の概念図を示した。
【００２７】
図１３に示すように、クライアント端末２０、３０には、閲覧と編集を選択する選択画面ａがあり、この画面に「閲覧」と「編集」メニューが表示される。「閲覧」を選択することでタイトルの背景画面および学生用の閲覧画面ｂに遷移する。ホームページ作成画面ｃでは、メニュー画面に「新規追加」、必要に応じてその他が表示される。このうち、一つを選択すると（ステップＳ１３１）、ホームページに記載する内容、例えば、講義内容の編集および入力のための画面に遷移し（ステップＳ１３２）、ここでホームページのタイトルを入力する欄と、講義日を入力する欄に日付を選択登録する。
【００２８】
次に、作成画面からテキスト、画像、ファイル、リンクの一つを選択し、追加ボタン操作を行う（ステップＳ１３３）。そして、選択された項目の画面が表示される（ステップＳ１３４）。一方、タイトルのリストを選択することにより、作成済み原稿が読み出される（ステップＳ１３８）。そして、作成済みの原稿を基にして、編集、追加、削除などの編集作業が行われる（ステップＳ１３５）。編集作業が終了すれば、ＯＫボタンを選択することで、プレビューまたはキャンセルが確定する（ステップＳ１３６）。キャンセルの場合には、ステップＳ１３５の処理に戻り、削除処理が実行される。プレビューの場合は、更にＯＫボタンを選択することで画面が登録される（ステップＳ１３７）。
【００２９】
図１４に示すように、編集画面に対して作成が開始されると、部品の選択処理が行われる（ステップＳ１４１）。前記したように、テキスト、画像、ファイル、リンクの４つの部品があり、ここでは、いずれかの部品が選択され、また、追加、移動、削除のいずれかの操作が選択される（ステップＳ１４２）。追加の場合は（ステップＳ１４２の“追加”）、部品（テキスト、画像、ファイル、リンク）の一つを追加する（ステップＳ１４４）。移動・削除の場合は（ステップＳ１４２の“移動・削除”）、移動・削除する部品を選択する（ステップＳ１４３）。
次に、移動や追加の後に新番号の付与を行うために、部品番号の変換を行い（ステップＳ１４５）、入力情報を保持する（ステップＳ１４６）。そして、編集、作成した全体の文章の接続状況から部品種別を判定して追加または移動を行う（ステップＳ１４７）。ここで、作成が終了したか否かを判定する（ステップＳ１４８）。１回目のＯＫボタンが押下されたことを検知した場合は（ステップＳ１４８の“Ｙｅｓ”）、作成終了となり、そうでない場合は（ステップＳ１４８の“Ｎｏ”）、ステップＳ１４１の処理に戻る。最後に、内容を登録するか否かを判定する（ステップＳ１４９）。２回目のＯＫボタン押下により（ステップＳ１４９の“Ｙｅｓ”）、編集した画面の内容が登録される（ステップＳ１５０）。一方、キャンセルボタン押下により（ステップＳ１４９の“Ｎｏ”）、登録が破棄される（ステップＳ１５１）。
【００３０】
図１５に示すように、編集画面で部品Ａ（画像）、部品Ｂ（リンク）および追加ボタンが選択されることにより作成された部品Ａ（画像）が編集されたものとする。その結果、作成されたホームページには、部品Ａの海岸の画像、部品Ｂの関連サイトにリンクするためのＵＲＬ（Uniform Resource Locater）、部品Ａの滝の画像順で作成される。
このことにより、講師がいつでも必要なときに授業内容に関するホームページを作成して学生に情報発信することができる。また、学生は、作成されたホームページを授業前後に閲覧することにより、予習や復習が可能である。更に、学生は、課題作成のために教材をダウンロードし、または、Ｗｅｂを使ってディスカッションすることで講師との間で良好なコミュニケーションを取ることができる。また、Ｗｅｂ画面上の操作のみでＷｅｂページを作成できるのは勿論のこと、ページ部品やフォーマット数を制限無く使用することができるため、授業内容を自由に作成することができる。
【００３１】
以上の説明のように、本発明は、情報が異なるそれぞれ独立した授業ページをＷｅｂ画面操作によってまとめるものであり、このため、Ｗｅｂ操作画面上で第１の情報（授業ページ）の下に統合すべき第２の情報（授業ページ）の選択操作を取り込み、検索して得られる第１の情報と第２の情報とを関係付ける。このことにより、第２の情報を第１の情報のＷｅｂページと同様に扱うことを許可し、情報が異なるＷｅｂページへの編集、閲覧操作を仮想的に１授業ページのように扱うことができる。
本発明によれば、実際の授業では複数の授業時間で分かれている場合でも、個別の情報として存在する授業ページをＷｅｂ画面操作により統合することで、１個のＷｅｂページを更新するだけで複数の授業時間で分かれている履修者へ同一内容を提示することができ、実際の授業より幅広い人数によるＷｅｂディスカッションなどを実現できる。このため、オンライン授業支援システムとしての使い勝手が向上し、講師、学生共に利便性を提供できる。
【００３２】
なお、前記した本発明の実施の形態によれば、Ｗｅｂページ作成支援および閲覧装置をシステムサーバ１０において機能分散されたＤＢサーバ１２に実装されるものとして説明したが、システムサーバ１０を１個のサーバで構築した場合にはそのサーバに実装してもよい。
【図面の簡単な説明】
【００３３】
【図１】本発明の実施の形態に係るオンライン授業支援システムの接続形態を説明するために引用したシステム構成図である。
【図２】本発明の実施の形態に係るＷｅｂページ作成支援装置および閲覧装置の内部構成を機能展開して示したブロック図である。
【図３】図２に示すテーブル類のデータ構造の一例を示す図である。
【図４】本発明の実施の形態に係る動作を説明するために引用したフローチャートである。
【図５】本発明の実施の形態に係る動作を説明するために引用したフローチャートである。
【図６】本発明の実施の形態に係る動作を説明するために引用したフローチャートである。
【図７】本発明の実施の形態に係るＷｅｂページの画面構成の一例を示す図である。
【図８】本発明の実施の形態に係るＷｅｂページの画面構成の一例を示す図である。
【図９】本発明の実施の形態に係るＷｅｂページの画面構成の一例を示す図である。
【図１０】本発明の実施の形態に係るＷｅｂページの画面構成の一例を示す図である。
【図１１】本発明の実施の形態に係るＷｅｂページの画面構成の一例を示す図である。
【図１２】本発明の実施の形態に係るＷｅｂページの画面構成の一例を示す図である。
【図１３】本発明の実施の形態に係るホームページ作成のための操作手順を示すフローチャートである。
【図１４】本発明の実施の形態に係るホームページ作成のための処理手順を示すフローチャートである。
【図１５】本発明の実施の形態に係る編集側と編集結果の関係を説明するために引用した概念図である。
【図１６】本発明の実施の形態に係る講義のまとめの概念を説明するために引用した図である。
【符号の説明】
【００３４】
１０    システムサーバ
１１    Ｗｅｂサーバ
１２    ＤＢサーバ（Ｗｅｂページ作成支援および閲覧装置）
２０、３０  クライアント端末
４０    管理端末
５０    ＩＰ網
１２１  Ｗｅｂサーバインタフェース部
１２２  統合データ取り込み部
１２３  編集・閲覧制御部
１２４  情報操作部
１２５  属性データ管理部
１２６  授業テーブル
１２７  マッピングテーブル
１２８  履修テーブル
【図１】
2006053861.tif 000003
【図２】
2006053861.tif 000004
【図３】
2006053861.tif 000005
【図４】
2006053861.tif 000006
【図５】
2006053861.tif 000007
【図６】
2006053861.tif 000008
【図７】
2006053861.tif 000009
【図８】
2006053861.tif 000010
【図９】
2006053861.tif 000011
【図１０】
2006053861.tif 000012
【図１１】
2006053861.tif 000013
【図１２】
2006053861.tif 000014
【図１３】
2006053861.tif 000015
【図１４】
2006053861.tif 000016
【図１５】
2006053861.tif 000017
【図１６】
2006053861.tif 000018